(57)【特許請求の範囲】
【請求項１】
相手方端子が差し込まれる一対の平行配置されたメス端子部と、
前記一対のメス端子部を連結し、溶断部を設けた連結部を備え、
前記一対のメス端子部はそれぞれ矩形状で、垂直方向の上下両端に相手方端子の差込口を備え、かつ、該一対のメス端子部の長辺側同士を平行配置すると共に短辺側の一側面の端縁を前記連結部によって連結し、該連結部を前記相手方端子のメス端子部への挿入方向と直交する方向に突出しているスローブローヒューズのヒューズエレメント。
【請求項２】
導電性金属板を打ち抜いた後に折り曲げて形成している請求項１に記載のスローブローヒューズのヒューズエレメント。
【請求項３】
請求項１または請求項２に記載のヒューズエレメントを絶縁樹脂製のハウジング内に収容し、該ハウジングの上下対向面に、前記一対のメス端子部に差し込まれる相手方端子の挿入口を設け、これら上下の挿入口のいずれからでも相手方端子を差し込める構成としていることを特徴とするスローブローヒューズ。
【請求項４】
前記ハウジングは、底壁と側壁とからなる上面開口のケース本体と、該ケース本体の上面開口を閉鎖するカバーとからなり、
前記カバーの対向面となる前記ケース本体の底壁と、前記カバーとに前記挿入口を設けている請求項３に記載のスローブローヒューズ。
【請求項５】
前記各挿入口に夫々に連通する導通検査用のプローブピン挿入孔を設けている請求項３または請求項４に記載のスローブローヒューズ。
【請求項６】
前記ケース本体の底壁の周縁からフランジ部を突設している請求項３乃至請求項５のいずれか１項に記載のスローブローヒューズ。
【請求項７】
前記ハウジングの外面に、ヒューズ収容部への位置決め用兼誤結防止用の凹部あるいは／および凸部を設けている請求項３乃至請求項６のいずれか１項に記載のスローブローヒューズ。
【請求項８】
請求項３乃至請求項７のいずれか１項に記載のスローブローヒューズを収容するヒューズ収容部を備えた電気接続箱。
【発明の詳細な説明】
【技術分野】
【０００１】
本発明は、スローブローヒューズのヒューズエレメント、スローブローヒューズおよび電気接続箱に関し、詳しくは、ヒューズエレメントおよび該ヒューズエレメントを備えたスローブローヒューズを低背化すると共に、該スローブローヒューズの電気接続箱への搭載作業を容易にするものである。
【背景技術】
【０００２】
従来、自動車に搭載される電装品に電源分配を行う電気接続箱には、過電流から回路を保護するためにヒューズが搭載されており、特開２００４−２８１０７８号公報（特許文献１）等において、図１１に示すスローブローヒューズ１が提供されている。
前記スローブローヒューズ１はメス端子形状の入力端子部２と出力端子部３を溶断部４ａを備えた連結部４で連続させたヒューズエレメント５を絶縁樹脂からなるボックス形状のハウジング６内に収容している。ハウジング６の底壁にはヒューズエレメント５の入力端子部２と出力端子部３に対向する位置に相手方端子の挿入口（図示せず）を設けており、該挿入口を通して相手方端子を挿入して入力端子部２、出力端子部３とそれぞれ接続する構成としている。
【０００３】
しかしながら、特許文献１で提供されているスローブローヒューズ１では、ヒューズエレメント５の連結部４を入力端子部２と出力端子部３から端子差込方向に突出させて設けているため、ヒューズエレメント５が端子差込方向に長尺となる問題がある。
また、前記特許文献１で提供されているスローブローヒューズ１のヒューズエレメント５では、連結部４を設けていない側からしか相手方端子を入力端子部２、出力端子部３に差し込むことができない。よって、該ヒューズエレメント５を収容したスローブローヒューズ１を電気接続箱のヒューズ収容部に挿入する際にハウジング６の底壁を必ず挿入側先端としなければならない。
一般に、スローブローヒューズのヒューズ収容部への挿入は機械設備を用いて行われているが、前記スローブローヒューズ１をヒューズ収容部へ挿入する際には、不規則な姿勢で並んだ前記スローブローヒューズ１をハウジング６の底壁が挿入側先端となる姿勢にする必要があり、このための専用設備が必要となってコスト高になる問題がある。
【０００４】
【特許文献１】特開２００４−２８１０７８号公報
【発明の開示】
【発明が解決しようとする課題】
【０００５】
本発明は前記問題に鑑みてなされたものであり、スローブローヒューズのヒューズエレメントを低背化すると共に、スローブローヒューズのメス端子部に二方向から端子を挿入できる構成とし、スローブローヒューズを電気接続箱のヒューズ収容部に挿入するための設備を簡素化してコストを低減することを課題としている。
【課題を解決するための手段】
【０００６】
前記課題を解決するため、本発明は、相手方端子が差し込まれる一対の平行配置されたメス端子部と、
前記一対のメス端子部を連結し、溶断部を設けた連結部を備え、
前記一対のメス端子部はそれぞれ矩形状で、垂直方向の上下両端に相手方端子の差込口を備え、かつ、該一対のメス端子部の長辺側同士を平行配置すると共に短辺側の一側面の端縁を前記連結部によって連結し、該連結部を前記相手方端子のメス端子部への挿入方向と直交する方向に突出しているスローブローヒューズのヒューズエレメントを提供している。
【０００８】
また、本発明は、前記ヒューズエレメントを絶縁樹脂製のハウジング内に収容し、該ハウジングの上下対向面に、前記一対のメス端子部に差し込まれる相手方端子の挿入口を設け、これら上下の挿入口のいずれからでも相手方端子を差し込める構成としていることを特徴とするスローブローヒューズを提供している。
【０００９】
前記構成によれば、前記した従来例のようにヒューズエレメントの連結部をメス端子部から端子差込方向に突出させるのではなく、前記メス端子部の端子差込方向に対して直交方向に突出させて設けているため、メス端子部の端子差込方向の寸法を短尺化することができ、スローブローヒューズを低背化することができる。
このように、連結部をメス端子部の端子差込方向に対して直交方向に突出させると、従来例のスローブローヒューズに対して２０〜５０％低背化することができる。
【００１０】
また、ヒューズエレメントのメス端子部を端子差込方向の両端から相手方端子を差し込むことができる形状としていると共に、ヒューズエレメントを収容したハウジングに前記メス端子部の両端の端子差込口にそれぞれ対向した挿入口を設けているため、前記メス端子部と接続する相手方の端子をメス端子部に対して対向する二方向から挿入することができる。
このように、本発明のスローブローヒューズを用いれば対向する二方向から相手方の端子の挿入が可能であるため上下方向を規制する必要がなく、該スローブローヒューズを装着する電気接続箱のヒューズ収容部に対して、スローブローヒューズを上下いずれの方向からでも装着できすることができる。
よって、スローブローヒューズを電気接続箱のヒューズ収容部に挿入する設備において、従来はスローブローヒューズを挿入口が設けられた壁部が下方となる姿勢にする装置が必要があったが、本発明のスローブローヒューズを用いると、前記設備にスローブローヒューズの上下方向を規制するための装置を設ける必要がなくなり。設備を簡素化でき、コストを低減することができる。
また、ハウジングの対向する両壁に挿入口を設けているため、放熱性を高めることができる。
【００１１】
前記ハウジングは、底壁と側壁とからなる上面開口のケース本体と、該ケース本体の上面開口を閉鎖するカバーとからなり、
前記ハウジングの対向面となる前記ケース本体の底壁と、前記カバーとに前記挿入口を設けている。
前記ケース本体とカバーとは、ケース内部に前記ヒューズエレメントを収容後にロック結合している。
なお、前記ハウジングは、上下開口のケース本体に、これら上下両面に開口を閉鎖するカバーを取り付ける構造とてもよい。その場合、一方のカバーは前記ケース本体の底壁となる。
【００１２】
前記各挿入口に夫々に連通する導通検査用のプローブピン挿入孔を設けている。
即ち、ケース本体の底壁に設けた挿入口およびカバーに設けた挿入口のいずれにもプローブピン挿入孔を連通して設けており、これにより、ハウジングを上下逆転して用いたいずれの場合においても、前記プローブピン挿入孔にプローブピンを差し込んで、導通検査を行うことができる。
【００１３】
さらに、前記ケース本体の底壁の周縁からフランジ部を突設している。
前記ケース本体の上面開口を閉鎖するカバーは、その外周縁がケース本体の側壁より突出するため、該カバーの外周縁と同一形状となるようにケース本体野底壁からフランジ部を突設している。このように、ケース本体の底壁にフランジ部を設け、該フランジ部をスローブローヒューズを装着するボックス側の取付部にぴったりと嵌合させて収容する構成としておけば、スローブローヒューズを逆転したカバーがボックス側の取付部に取り付けた際に、ぴったりとガタつきなく嵌合することができる。
【００１４】
また、前記ハウジングの外面に、ヒューズ収容部への位置決め用兼誤結防止用の凹部あるいは／および凸部を設けていることが好ましい。
例えば、ハウジングのケース本体の底壁外面に凹部を設けた場合、前記カバーの外面にも対称位置に凹部を設けている。
【００１５】
さらに、本発明は、前記スローブローヒューズを収容するヒューズ収容部を備えた電気接続箱を提供している。
【００１６】
前記電気接続箱は、そのヒューズ収容部の底壁に、前記ハウジングに設けた凹部あるいは／および凸部と嵌合する凸部あるいは／および凹部を設けていることが好ましい。
前記構成によれば、ヒューズ収容部に所定のスローブローヒューズを挿入すると前記凸部と凹部とが嵌合して正規位置まで挿入できる一方、前記所定のスローブローヒューズ以外のスローブローヒューズを挿入すると凸部がヒューズ収容部の底壁あるいはスローブローヒューズのハウジングの挿入側先端面と干渉して正規位置まで挿入できないため、スローブローヒューズの誤挿入を防止することができる。
【発明の効果】
【００１７】
前述したように、本発明によれば、ヒューズエレメントの連結部をメス端子部の端子差込方向に対して直交方向に突出させて設けているため、メス端子部の端子差込方向の寸法を短尺化することができ、スローブローヒューズを低背化することができる。
また、ヒューズエレメントのメス端子部を端子差込方向の両端から端子を挿入できる形状とすると共に、ヒューズエレメントを収容したハウジングに前記メス端子部の両端の端子差込口にそれぞれ対向した挿入口を設けているため、前記メス端子部と接続する相手方の端子をメス端子部に対して対向する二方向から挿入することができる。
よって、スローブローヒューズを電気接続箱のヒューズ収容部に挿入する設備において、スローブローヒューズの姿勢を規制する設備を簡素化でき、コストを低減することができる。
【発明を実施するための最良の形態】
【００１８】
本発明の実施形態を図面を参照して説明する。
図１乃至図５は、本発明の第１実施形態を示し、スローブローヒューズ１０は、一対のメス端子形状の入力端子部１２と出力端子部１３を溶断部１４ａを備えた連結部１４で連続させたヒューズエレメント１１と、該ヒューズエレメント１１を収容する絶縁樹脂からなるボックス形状のハウジング２０とからなる。
【００１９】
前記ヒューズエレメント１１は、導電性金属板を所要形状に打ち抜いた後、折り曲げて形成している。前記ヒューズエレメント１１の入力端子部１２と出力端子部１３は接続される相手方端子の差込方向が平行となるように設けており、前記端子差込方向の両端にそれぞれ相手方端子の差込口１２ａ−１、１２ａ−２、１３ａ−１、１３ａ−２を設けて、端子差込方向Ｘの対向する両側から相手方端子を挿入できる形状としている。入力端子１２、出力端子１３の一側壁を一端の差込口１２ａ−１、１３ａ−１で内側に折り返し、この折り返し側の先端をさらに内側に折り返して弾性片１２ｂ、１３ｂを設けている。弾性片１２ｂ、１３ｂと該弾性片１２ｂ、１３ｂに対向する壁部とで入力端子部１２、出力端子部１３内に挿入された相手方端子を弾性挟持する構成としている。また、入力端子部１２と出力端子部１３には、対向する側壁の一部を外方に切り起こしてランス１２ｃ、１３ｃを設けている。
【００２０】
前記入力端子部１２と出力端子部１３の一側面の端縁を連続する連結部１４は、入力端子部１２、出力端子部１３の端子差込方向Ｘに対して直交方向に突出させて入力端子部１２と出力端子部１３に架け渡すように設けている。該連結部１４の連続方向の中央には、細幅の溶断部１４ａを設けており、該溶断部１４ａの両側には円形状の膨出部１４ｂを設け、該膨出部１４ｂで放熱性を高めることにより短時間の過電流では溶断部１４ａが溶断しないようにしている。
本実施形態では、連結部１４を端子差込方向Ｘに対して直交方向に突出させることにより、従来例で示した連結部を端子差込方向に突出させたスローブローヒューズに対して端子差込方向の高さを７０％として、３０％低背化している。
【００２１】
前記ヒューズエレメント１１を収容するハウジング２０は、底壁２１ａと、該底壁２１ａの周縁から突出する側壁２１ｂ、底壁２１ａの周縁より突設したフランジ部２１ａ−１とを有するケース本体２１と、該ケース本体２１の上面開口を閉鎖する平板状のカバー２２とからなる。前記底壁のフランジ２１ａ−１の外形とカバー２２の外形とは同一となるようにしている。
【００２２】
前記ケース本体２１の底壁２１ａに、ハウジング２０内に収容するヒューズエレメント１１の入力端子部１２と出力端子部１３の差込口１２ａ−１、１３ａ−１に対向する位置に挿入口２１ｃを設けている。また、カバー２２には、ハウジング２０内に収容するヒューズエレメント１１の入力端子部１２と出力端子部１３の差込口１２ａ−２、１３ａ−２に対向する位置に挿入口２２ａを設けている。
前記ケース本体２１の底壁２１ａに設けた一対の挿入口２１ｃとカバー２２に設けた一対の挿入口２２ａは上下対称位置に設けている。
また、底壁２１ａ側の一対の挿入口２１ｃ、カバー２２側の一対の挿入口２２にはそれぞれ挿入口２１ｃ、２２の中央位置の外側縁より導通検査用のプローブピン挿入孔２１ｐ、２２ｐを連通して設けている。
【００２３】
前記ケース本体２１内には、底壁２１ａから上方に向けて隔壁２１ｄを突出させて設けており、該隔壁２１ｄと側壁２１ｂの対向面に入力端子部１２と出力端子部１３に設けた係止片１２ｃ、１３ｃと係止するためのランス２１ｆを設けている。隔壁２１ｄと側壁２１ｂとの間にヒューズエレメント１１の入力端子部１２と出力端子部１３をそれぞれ収容すると、図４に示すように、入力端子部１２と出力端子部１３に設けた係止片１２ｃ、１３ｃの先端がランス２１ｆに係止され、ケース本体２１内にヒューズエレメント１１が位置決め固定される。
【００２４】
また、ケース本体２１の側壁２１ｂの上端にロック爪２１ｅを設ける一方、カバー２２にロック枠２２ｂを設けており、ケース本体２１内にヒューズエレメント１１を収容した後、ケース本体２１の上面開口にカバー２２を被せてケース本体２１のロック爪２１ｅをカバー２２のロック枠２２ｂに係止して、ケース本体２１とカバー２２とをロック結合している。
【００２５】
前記スローブローヒューズ１０は、ヒューズエレメント１１の入力端子部１２と出力端子部１３の端子差込方向の上下両端に差込口１２ａ−１、１２ａ−２、１３ａ−１、１３ａ−２を設けると共に、ハウジング２０の底壁２１ａに挿入口２１ｃ、カバー２２に挿入口２２ａを設けているため、上下両側のいずれの方向からも、ヒューズエレメントと接続する相手方端子３０を挿入可能としている。
【００２６】
即ち、図５（Ａ）（Ｂ）に示すように、スローブローヒューズ１０を装着する電気接続箱４０のヒューズ収容部４５内に突出するタブ状の相手方端子３０を底壁２１ａ側の挿入口２１ｃ、あるいはカバー２２側の挿入口２２ａを通して、端子３０をハウジング２０内に挿入すると、該端子３０が入力端子部１２、出力端子部１３の弾性片１２ｂ、１３ｂと該弾性片１２ｂ、１３ｂに対向する側壁で挟持され、入力端子部１２、出力端子部１３とそれぞれ接続される。
【００２７】
前記構成によれば、スローブローヒューズ１０に対して上下いずれの方向からでも相手方端子３０を接続することができるため、例えば、スローブローヒューズ１０を、電気接続箱４０のヒューズ収容部４５に挿入する設備において、スローブローヒューズ１０の上下方向を規制する必要がない。よって、前記設備にスローブローヒューズ１０の上下方向を規制するための専用設備を設ける必要がなくなって設備を簡素化でき、コストを低減することができる。
また、ハウジング２０の対向する両壁に挿入口２１ｃ、２２ａを設けているため、放熱性を高めることができる。
【００２８】
さらに、溶断部１４ａを備えた連結部１４を入力端子部１２、出力端子部１３の端子差込方向Ｘに対して直交方向に突出させて設けているため、入力端子部１２、出力端子部１３の端子差込方向の寸法を短尺化することができ、スローブローヒューズ１０を低背化することができる。
【００２９】
また、スローブローヒューズ１０はケース本体２１とカバー２２とのいずれかを下方として、上下逆転して電気接続箱４０のヒューズ収容部４５に収容された場合、ケース本体２１の底壁２１ａにプローブピン挿入孔２１ｐ、ケース２２にプローブピン挿入孔２２ｐを設けているため、表面側に位置する側のプローブピン挿入孔からプローブピン（図示せず）を挿入して導通検査を行うことができる。
【００３０】
さらに、ケース本体２１の底壁２１ａにフランジ２１ａ−１を設けて、カバー２２の外形と同一としているため、ヒューズ収容部４５に上下逆転して装着されても、ぴったりと嵌合できガタ付きを発生させず、安定した装着性を得ることができる。
【００３１】
本実施形態では、ヒューズエレメント１１のメス端子部の係止片１２ｃ、１３ｃを側壁２１ｂおよび隔壁２１ｄに設けたランス２１ｆに夫々係止させてヒューズエレメント１１をケース本体２１内に位置決め固定しているが、係止片１２ｃ、１３ｃは必ずしも側壁２１ｂおよび隔壁２１ｄに設けたランス２１ｆの両方に係止させる必要はなく、側壁２１ｂあるいは隔壁２１ｄのいずれか一方のランス２１ｆに係止させてもよい。また、前記係止片１２ｃ、１３ｃとランス２１ｆを設けず、入力端子部１２と出力端子部１３をケース本体２１の側壁２１ｂと隔壁２１ｄの間に圧入固定する構成としてもよい。これにより、係止片１２ｃ、１３ｃを形成するための切り起こしやランス２１ｆの個数を低減でき、あるいは、係止片１２ｃ、１３ｃとランス２１ｆを設ける必要がなくなり、ヒューズエレメントとハウジングの形成を容易にすることができる。
【００３２】
さらに、前記ケース本体の底壁２１およびカバー２２に設ける挿入口２１ｃ、２２ａに連通して設けるプローブピン挿入孔２１ｐ、２２ｐの形状は前記図１に示す形状に限定されない。例えば、図６（Ａ）〜（Ｅ）に示す形状としてもよい。
図６（Ａ）では、並列して設ける一対の挿入口２１ｃー１、２１ｃ−２（２２ａー１、２２ａ−２）の長さ方向の反対位置の先端に外方へ矩形状に切り込んでプローブピン挿入孔２１ｐ（２２Ｐ）を設けている。
図６（Ｂ）では、長さ方向の同一側の先端にプローブピン挿入孔２１ｐ（２２ｐ）を設けている。
図６（Ｃ）では、長さ方向の中央位置に、互いに近接する内方に向けてプローブピン挿入孔２１ｐ（２２ｐ）を設けている。
図６（Ｄ）では、長さ方向の反対位置の先端に内方に向けてプローブピン挿入孔２１ｐ（２２ｐ）を設けている。
図６（Ｅ）では、プローブピン挿入孔２１ｐ（２２ｐ）を矩形状とせずに、半円状として設けている。
【００３３】
前記プローブピン挿入孔２１ｐ（２２ｐ）の位置および形状は、該プローブピン挿入口２１ｃ（２２ａ）から挿入したプローブピンが、ハウジング２０内で正規位置で係止された状態でヒューズエレメント１１と接触できる位置であればよい。
【００３４】
図７乃至図９は、本発明の第２実施形態を示す。
本実施形態のスローブローヒューズ１０は、電気接続箱４０のヒューズ収容部４５に収容して、電気接続箱４０の内部回路と接続するものである。
【００３５】
本実施形態のスローブローヒューズ１０には、図７に示すように、ハウジング２０の挿入口２１ｃ、２２ａを設けた壁部外面に所要形状の凸部２３を設けている。１つのスローブローヒューズ１０では、ケース本体２１の底壁２１ａとカバー２２に設ける凸部２３を同一形状とし、かつ、対称位置に設けている。
なお、容量の異なるスローブローヒューズ１０’には、前記スローブローヒューズ１０とは異なる形状の凸部を設けており、スローブローヒューズ１０’も凸部を対称位置に設けている。
【００３６】
電気接続箱４０はアッパーケース４１とロアケース４２からなるケース内部に導電性金属板を所要形状に打ち抜いて形成したバスバー４３からなる内部回路を収容しており、バスバー４３の先端に設けたタブ状の端子４４をアッパーケース４１に設けたヒューズ収容部４５内に突出させている。ヒューズ収容部４５の底壁４５ａには、挿入されるスローブローヒューズ１０のハウジング２０に設けた凸部２３に対応する凹部４５ｂを設けている。
また、アッパーケース４１の上面にアッパーカバー４６を被せると共に、ロアケース４２の下面にロアカバー４７を被せて防水を図っている。
【００３７】
前記電気接続箱４０のヒューズ収容部４５に所定のスローブローヒューズ１０を収容すると、図９（Ａ）に示すように、スローブローヒューズ１０のハウジング２０の挿入側先端面に設けた凸部２３とヒューズ収容部４５の底壁４５ａに設けた凹部４５ｂが嵌合し、スローブローヒューズ１０が正規位置まで挿入される。このとき、スローブローヒューズ１０の入力端子部１２、出力端子部１３と電気接続箱４０の内部回路のバスバー４３の端子４４が接続される。
なお、１つのスローブローヒューズ１０ではケース本体２１の底壁２１ａとカバー２２に設ける凸部２３を同一形状としているため、スローブローヒューズ１０を上下反対方向でヒューズ収容部４５に挿入しても、スローブローヒューズ１０の凸部２３とヒューズ収容部４５の凹部４５ｂが嵌合して正規位置まで挿入することができる。
【００３８】
一方、図９（Ｂ）に示すように、前記ヒューズ収容部４５に所定のスローブローヒューズ１０と異なる容量のスローブローヒューズ１０’を挿入すると、スローブローヒューズ１０’の凸部２３’の形状が前記スローブローヒューズ１０の凸部２３の形状とその配置が異なるため、凸部２３’がヒューズ収容部４５の底壁４５ａと干渉し、スローブローヒューズ１０’を正規位置まで挿入することができない。
これにより、スローブローヒューズ１０’を誤挿入したことを確認することができる。
なお、他の構成及び作用効果は第１実施形態と同様のため、同一の符号を付して説明を省略する。
【００３９】
図１０は、第２実施形態の変形例を示す。
本変形例では、スローブローヒューズ１０のハウジング２０に誤挿入防止用の凹部２４を設ける一方、電気接続箱４０のヒューズ収容部４５の底壁４５ａに前記凹部２４と嵌合する凸部４５ｃを設けている。
なお、本実施形態でも、容量が異なるスローブローヒューズには異なる形状の凹部を設け、ヒューズ収容部には挿入されるスローブローヒューズの凹部に対応した形状の凸部を設けている。
【００４０】
前記構成としても、ヒューズ収容部４５に所定のスローブローヒューズ以外のスローブローヒューズを挿入すると、ヒューズ収容部４５の凸部４５ｃがスローブローヒューズ１０のハウジング２０の挿入側先端面に干渉するため、スローブローヒューズ１０の誤挿入を防止することができる。
【図面の簡単な説明】
【００４１】
【図１】本発明の第１実施形態のスローブローヒューズの分解斜視図である。
【図２】スローブローヒューズのヒューズエレメントを示し、（Ａ）は平面図、（Ｂ）正面図である。
【図３】スローブローヒューズを示し、（Ａ）は斜視図、（Ｂ）は平面図である。
【図４】スローブローヒューズのＡ−Ａ線断面図である。
【図５】（Ａ）はスローブローヒューズの下面側から端子を挿入して接続した状態を示す断面図、（Ｂ）はスローブローヒューズの上面側から端子を挿入して接続した状態を示す断面図である。
【図６】（Ａ）〜（Ｅ）は、スローブローヒューズの挿入口に連通して設けるプローブピン挿入孔の変形例を示す図面である。
【図７】第２実施形態のスローブローヒューズを示す断面図である。
【図８】スローブローヒューズを搭載する電気接続箱の分解斜視図である。
【図９】（Ａ）は電気接続箱のヒューズ収容部に所定のスローブローヒューズを収容した状態を示す断面図、（Ｂ）はヒューズ収容部に所定のスローブローヒューズ以外のスローブローヒューズを収容した状態を示す断面図である。
【図１０】第２実施形態の変形例を示す図面である。
【図１１】従来例を示す図面である。
【符号の説明】
【００４２】
１０  スローブローヒューズ
１１  ヒューズエレメント
１２  入力端子部
１３  出力端子部
１４  連結部
１４ａ  溶断部
２０  ハウジング
２１  ケース本体
２１ａ  底壁
２１ａ−１  フランジ
２１ｃ  端子の挿入口
２１ｐ  プローブピン挿入孔
２２  カバー
２２ａ  端子の挿入口
２２ｐ  プローブピン挿入孔孔
２３  凸部
２４  凹部
３０  相手方端子
４０  電気接続箱
４５  ヒューズ収容部
４５ａ  底壁
４５ｂ  凹部
４５ｃ  凸部
【図１】
0004706613.tif 000002
【図２】
0004706613.tif 000003
【図３】
0004706613.tif 000004
【図４】
0004706613.tif 000005
【図５】
0004706613.tif 000006
【図６】
0004706613.tif 000007
【図７】
0004706613.tif 000008
【図８】
0004706613.tif 000009
【図９】
0004706613.tif 000010
【図１０】
0004706613.tif 000011
【図１１】
0004706613.tif 000012